(57)【特許請求の範囲】
【請求項１】
セルラ通信ネットワーク内の基地局（１６）の少なくとも一部を共に形成する無線機器コントローラ（１８）に接続される無線機器（２０）の動作の方法であって、
前記無線機器（２０）の第１のインタフェースにおいて、前記無線機器コントローラ（１８）から同期メッセージを受信することと、前記第１のインタフェースは、前記無線機器コントローラ（１８）からデータを受信するように構成されることと、
前記第１のインタフェースから第２のインタフェースへの機器内遅延に追加される人工遅延と共に、前記無線機器（２０）の前記第１のインタフェースから前記無線機器（２０）の前記第２のインタフェースへ、前記同期メッセージを受け渡すことと、前記第２のインタフェースは、前記無線機器コントローラ（１８）へデータを送信するように構成されることと、
を含み、
前記機器内遅延は、前記無線機器（２０）により前記無線機器コントローラ（１８）へ報告される機器内遅延である、
方法。
【請求項２】
前記人工遅延は、前記同期メッセージに基づいて前記無線機器コントローラ（１８）により決定される合計ラウンドトリップ遅延を、人為的に増加させる、請求項１の方法。
【請求項３】
前記無線機器コントローラ（１８）へ、前記無線機器（２０）についての実際の機器内ダウンリンク遅延よりも小さい前記無線機器（２０）についての機器内ダウンリンク遅延を報告すること、をさらに含み、
前記人工遅延は、前記無線機器（２０）についての前記実際の機器内ダウンリンク遅延よりも小さい前記無線機器（２０）についての前記機器内ダウンリンク遅延の報告を補償する、
請求項１の方法。
【請求項４】
前記人工遅延は、前記無線機器（２０）についての前記実際の機器内ダウンリンク遅延と前記無線機器コントローラ（１８）へ報告される前記無線機器（２０）についての前記機器内ダウンリンク遅延との間の差の２倍に近似的に等しい、請求項３の方法。
【請求項５】
前記実際の機器内ダウンリンク遅延を推定すること、をさらに含む、請求項４の方法。
【請求項６】
前記無線機器コントローラ（１８）へ報告される前記機器内ダウンリンク遅延は、前記無線機器コントローラ（１８）にとって許容可能な最大の機器内ダウリンク遅延である、請求項３の方法。
【請求項７】
前記無線機器（２０）の前記第１のインタフェースから前記無線機器（２０）の前記第２のインタフェースへ前記同期メッセージを受け渡すことは、前記同期メッセージが前記無線機器コントローラ（１８）へ返送されるように行われる、請求項１の方法。
【請求項８】
前記無線機器（２０）の第１及び第２のポートが、少なくとも１つのケーブルを介して前記無線機器コントローラ（１８）へ接続される、請求項７の方法。
【請求項９】
前記無線機器（２０）の前記第１のインタフェースは、前記同期メッセージの受信元である前記無線機器コントローラ（１８）の出力インタフェースへ接続され、前記無線機器（２０）の前記第２のインタフェースは、前記同期メッセージの返信先である前記無線機器コントローラ（１８）の入力インタフェースへ接続される、請求項７の方法。
【請求項１０】
前記人工遅延は、前記無線機器コントローラ（１８）にとって、前記無線機器（２０）の前記第１のインタフェースを前記無線機器コントローラ（１８）の前記出力インタフェースへ接続し及び前記無線機器（２０）の前記第２のインタフェースを前記無線機器コントローラ（１８）の入力インタフェースへ接続するケーブルのケーブル遅延の一部として見える、請求項９の方法。
【請求項１１】
前記同期メッセージは、ＣＰＲＩ基本フレームにおけるＫ２８．５ｓｙｎｃバイトである、請求項１の方法。
【請求項１２】
セルラ通信ネットワーク内の基地局（１６）の少なくとも一部を共に形成する無線機器コントローラ（１８）に接続される無線機器（２０）であって、
コントローラ（２２）と、
前記無線機器（２０）のワイヤレスインタフェースを提供する無線インタフェース（２８）と、
前記無線機器コントローラ（１８）へのインタフェースを提供する無線機器コントローラインタフェースと、
を備え、
前記無線機器コントローラインタフェースは、
前記無線機器コントローラ（１８）からデータを受信するように構成される前記無線機器コントローラインタフェースの第１のインタフェースにおいて、前記無線機器コントローラ（１８）から同期メッセージを受信し、
前記無線機器コントローラインタフェースの前記第１のインタフェースから、前記無線機器コントローラ（１８）へデータを送信するように構成される前記無線機器コントローラインタフェースの第２のインタフェースへ、前記第１のインタフェースから前記第２のインタフェースへの機器内遅延に追加される人工遅延と共に、前記同期メッセージを受け渡す、
ように適合され、
前記機器内遅延は、前記無線機器（２０）により前記無線機器コントローラ（１８）へ報告される機器内遅延である、
無線機器。
【請求項１３】
前記人工遅延は、前記同期メッセージに基づいて前記無線機器コントローラ（１８）により決定される合計ラウンドトリップ遅延を、人為的に増加させる、請求項１２の無線機器（２０）。
【請求項１４】
前記コントローラ（２２）は、前記無線機器コントローラ（１８）へ、前記無線機器（２０）についての実際の機器内ダウンリンク遅延よりも小さい前記無線機器（２０）についての機器内ダウンリンク遅延を、前記無線機器コントローラインタフェースを介して報告する、ように適合され、
前記人工遅延は、前記無線機器についての前記実際の機器内ダウンリンク遅延よりも小さい前記無線機器についての前記機器内ダウンリンク遅延の報告を補償する、
請求項１２の無線機器（２０）。
【請求項１５】
前記人工遅延は、前記無線機器（２０）についての前記実際の機器内ダウンリンク遅延と前記無線機器コントローラ（１８）へ報告される前記無線機器（２０）についての前記機器内ダウンリンク遅延との間の差の２倍に近似的に等しい、請求項１４の無線機器（２０）。
【請求項１６】
前記コントローラ（２２）は、前記実際の機器内ダウンリンク遅延を推定する、ようにさらに適合される、請求項１５の無線機器（２０）。
【請求項１７】
前記無線機器コントローラ（１８）へ報告される前記機器内ダウンリンク遅延は、前記無線機器コントローラ（１８）にとって許容可能な最大の機器内ダウリンク遅延である、請求項１４の無線機器（２０）。
【請求項１８】
前記無線機器コントローラインタフェースは、前記同期メッセージが前記無線機器コントローラ（１８）へ返送されるように、前記第１のインタフェースから前記第２のインタフェースへ前記同期メッセージを受け渡す、請求項１２の無線機器（２０）。
【請求項１９】
前記無線機器コントローラインタフェースの第１及び第２のポートが、少なくとも１つのケーブルを介して前記無線機器コントローラ（１８）へ接続される、請求項１８の無線機器（２０）。
【請求項２０】
前記無線機器コントローラインタフェースの前記第１のインタフェースは、前記同期メッセージの受信元である前記無線機器コントローラ（１８）の出力インタフェースへ接続され、前記無線機器コントローラインタフェースの前記第２のインタフェースは、前記同期メッセージの返信先である前記無線機器コントローラ（１８）の入力インタフェースへ接続される、請求項１８の無線機器（２０）。
【請求項２１】
前記人工遅延は、前記無線機器コントローラ（１８）にとって、前記無線機器（２０）の前記第１のインタフェースを前記無線機器コントローラ（１８）の前記出力インタフェースへ接続し及び前記無線機器（２０）の前記第２のインタフェースを前記無線機器コントローラ（１８）の入力インタフェースへ接続するケーブルのケーブル遅延の一部として見える、請求項２０の無線機器（２０）。
【請求項２２】
前記同期メッセージは、ＣＰＲＩ基本フレームにおけるＫ２８．５ｓｙｎｃバイトである、請求項１２の無線機器（２０）。
【請求項２３】
セルラ通信ネットワーク内の基地局（１６）の少なくとも一部を共に形成する無線機器コントローラ（１８）に接続される無線機器（２０）であって、
前記無線機器コントローラ（１８）からデータを受信するように構成される前記無線機器（２０）の第１のインタフェースにおいて、前記無線機器コントローラ（１８）から同期メッセージを受信するための手段と、
前記無線機器（２０）の前記第１のインタフェースから、前記無線機器コントローラ（１８）へデータを送信するように構成される前記無線機器（２０）の第２のインタフェースへ、前記第１のインタフェースから前記第２のインタフェースへの機器内遅延に追加される人工遅延と共に、前記同期メッセージを受け渡すための手段と、
を備え、
前記機器内遅延は、前記無線機器（２０）により前記無線機器コントローラ（１８）へ報告される機器内遅延である、
無線機器（２０）。
【発明の詳細な説明】
【技術分野】
【０００１】
本開示は、セルラ通信ネットワーク内の基地局に関し、より具体的には、セルラ通信ネットワーク内の基地局におけるアップリンクフレーム及びダウンリンクフレームの同期期間中の遅延の補償に関する。
【背景技術】
【０００２】
ワイヤレスあるいはセルラ通信ネットワークでは、基地局と当該基地局によりサービスを提供される移動デバイスとの間でダウンリンク及びアップリンクのフレームタイミングが同期していることが重要である。基地局に接続された移動デバイスは、同じ送信周波数及び受信周波数を使用する。移動デバイス間で干渉が無いことを保証するために、移動デバイスは、多重化のタイプ（例えば、時間分割複信（ＴＤＤ）又は周波数分割複信（ＦＤＤ））に依存して、時間スロット又はサブチャネル周波数に割り当てられる。いずれのケースでも、フレームタイミングは、基地局と移動デバイスとの間の無線リンク上で正確に維持されなければならない。
【０００３】
図１に示したように、ＣＰＲＩ（Common  Public  Radio  Interface）の仕様によれば、基地局１０は、無線機器コントローラ（ＲＥＣ）１２及び無線機器（ＲＥ）１４を含む。ＲＥＣ１２は、典型的には、１つ以上のファイバケーブルといった１つ以上のケーブルを介して、ＲＥ１４へ接続される。ＲＥＣ１２はデジタルベースバンド領域内の無線機能を含み、一方でＲＥ１４はアナログ無線周波数機能を含む。ＲＥＣ１２とＲＥ１４との間の、ここでＣＰＲＩインタフェースと呼ばれる汎用インタフェースは、ＲＥＣ１２とＲＥ１４との間の通信を可能にする。
【０００４】
正確なフレームタイミングを維持するために、複数の遅延が判定される。具体的には、図１に示したように、それら遅延は次を含む：
・Ｔ１２：ケーブル遅延（Ｔ１２）は、ＲＥＣ１２の出力インタフェース（Ｒ１）とＲＥ１４の入力インタフェース（Ｒ２）との間の遅延であり、ＲＥＣ１２の出力インタフェース（Ｒ１）をＲＥ１４の入力インタフェース（Ｒ２）へケーブルが接続していることに起因する。
・ＴＯＦＦＳＥＴ：機器内（in-equipment）遅延（ＴＯＦＦＳＥＴ）は、ＲＥ１４の入力インタフェース（Ｒ２）からＲＥ１４の出力インタフェース（Ｒ３）までのＲＥ１４の内部的な遅延である。
・Ｔ３４：ケーブル遅延（Ｔ３４）は、ＲＥ１４の出力インタフェース（Ｒ３）からＲＥＣ１２の入力インタフェース（Ｒ４）までの遅延であり、ＲＥ１４の出力インタフェース（Ｒ３）をＲＥＣ１２の入力インタフェース（Ｒ４）へケーブルが接続していることに起因する。
・Ｔ１４：合計ラウンドトリップ遅延（Ｔ１４）は、Ｔ１２、ＴＯＦＦＳＥＴ及びＴ３４の和である。
・Ｔ２ａ：機器内ダウンリンク遅延（Ｔ２ａ）は、ＲＥ１４の入力インタフェース（Ｒ２）からＲＥ１４の送信ポート（ＴＸ）あるいはアンテナまでのＲＥ１４の内部的な遅延である。
・Ｔａ３：機器内アップリンク遅延（Ｔａ３）は、ＲＥ１４の受信ポート（ＲＸ）あるいはアンテナからＲＥ１４の出力インタフェース（Ｒ３）までのＲＥ１４の内部的な遅延である。
【０００５】
動作中に、ＲＥ１４は、機器内遅延（ＴＯＦＦＳＥＴ）、機器内ダウンリンク遅延（Ｔ２ａ）及び機器内アップリンク遅延（Ｔａ３）を推定し、それら推定値をＲＥＣ１２へ報告する。そして、ケーブル遅延（Ｔ１２及びＴ３４）は、同期プロセスを用いてＲＥＣ１２により判定される。同期プロセスのために、ＲＥＣ１２は、ＣＰＲＩ仕様ではＫ２８．５ｓｙｎｃバイトと呼ばれるｓｙｎｃバイトを、ＲＥＣ１２の出力インタフェース（Ｒ１）からＲＥ１４の入力インタフェース（Ｒ２）へ送信する。そして、ＲＥ１４は、ｓｙｎｃバイトがＲＥＣ１２へループバックされるように、ｓｙｎｃバイトをＲＥ１４の入力インタフェース（Ｒ２）からＲＥ１４の出力インタフェース（Ｒ３）へ受け渡す。ＲＥＣ１２は、ｓｙｎｃバイトがＲＥＣ１２の出力インタフェース（Ｒ１）から送信された時刻とｓｙｎｃバイトがＲＥＣ１２の入力インタフェース（Ｒ４）で受信された時刻との間の時間量である合計ラウンドトリップ遅延（Ｔ１４）を、ｓｙｎｃバイトを用いて測定する。そして、ＲＥＣ１２は、ケーブル遅延（Ｔ１２及びＴ３４）を次のように計算する：
【０００６】
【数１】
0005956591.tif 000002
【０００７】
ここで、Ｔ１４はｓｙｎｃバイトを用いてＲＥＣ１２により測定される合計ラウンドトリップ遅延である。
【０００８】
いくつかの実装において、ＲＥＣ１２へ報告可能な最大の機器内ダウンリンク遅延（Ｔ２ａ）に厳格な要件が課される。課題は、ＲＥＣ１２へ報告することのできる許容可能な最大の機器内ダウンリンク遅延（Ｔ２ａ）よりも実際の機器内ダウンリンク遅延（Ｔ２ａ）が大きい場合に生じる。そこで、この課題をＲＥ１４を全体的に再設計することなく解決するためのシステム及び方法についてのニーズが存在する。
【発明の概要】
【０００９】
本開示は、セルラ通信ネットワーク内の基地局におけるアップリンクフレーム及びダウンリンクフレームの同期期間中の遅延の補償に関する。概して、基地局は、無線機器と、基地局の少なくとも一部を共に形成する無線機器コントローラとを含む。１つの実施形態において、無線機器は、無線機器コントローラからデータを受信するように構成される第１のインタフェースと、無線機器コントローラへデータを送信するように構成される第２のインタフェースと、を含む。同期期間中に、無線機器は、当該無線機器の第１のインタフェースにおいて、無線機器コントローラから同期メッセージを受信する。そして、無線機器は、第１のインタフェースから第２のインタフェースへの機器内遅延に追加される人工遅延と共に、無線機器の第１のインタフェースから無線機器の第２のインタフェースへ同期メッセージを受け渡す。
【００１０】
１つの好適な実施形態において、無線機器は、無線機器コントローラへ、当該無線機器についての実際の機器内ダウンリンク遅延よりも小さい当該無線機器についての機器内ダウンリンク遅延を報告する。無線機器コントローラへ無線機器についての実際の機器内ダウンリンク遅延よりも小さい当該無線機器についての機器内ダウンリンク遅延を報告することについて、人工遅延が補償を行う。
【００１１】
添付図面に関連して好適な実施形態の以下の詳細な説明を読んだ後、当業者は、本開示の範囲を理解し、その追加的な観点を認識するであろう。
【図面の簡単な説明】
【００１２】
本明細書に取り入れられその一部を形成する添付図面は、本開示のいくつもの観点を例示しており、その説明と共に本開示の原理の説明のために供される。
【００１３】
【図１】セルラ通信ネットワーク内の基地局の少なくとも一部を共に形成する無線機器コントローラ及び無線機器を、従来型の同期期間中に算定される様々な遅延と共に示している。
【図２Ａ】セルラ通信ネットワーク内の基地局の少なくとも一部を共に形成する無線機器コントローラ及び無線機器を示しており、本開示の様々な実施形態に従って、無線機器は、実際の機器内ダウンリンク遅延よりも小さい機器内ダウンリンク遅延を報告することについて補償する同期期間中の人工遅延（synthetic  delay）を加算する。
【図２Ｂ】セルラ通信ネットワーク内の基地局の少なくとも一部を共に形成する無線機器コントローラ及び無線機器を示しており、本開示の様々な実施形態に従って、無線機器は、実際の機器内ダウンリンク遅延よりも小さい機器内ダウンリンク遅延を報告することについて補償する同期期間中の人工遅延を加算する。
【図２Ｃ】セルラ通信ネットワーク内の基地局の少なくとも一部を共に形成する無線機器コントローラ及び無線機器を示しており、本開示の様々な実施形態に従って、無線機器は、実際の機器内ダウンリンク遅延よりも小さい機器内ダウンリンク遅延を報告することについて補償する人工遅延を同期期間中に加算する。
【図３】本開示の１つの実施形態に従って無線機器及び無線機器コントローラにより見られる実際の遅延及び見掛け上の遅延（apparent  delay）を示している。
【図４】本開示の１つの実施形態に従って、実際の機器内ダウンリンク遅延よりも小さい所望の機器内ダウンリンク遅延について補償するために使用すべき人工遅延を決定し、及び無線機器コントローラへ実際の機器内ダウンリンク遅延よりもむしろ所望の機器内ダウンリンク遅延を報告するためのプロセスを示すフローチャートである。
【図５】本開示の１つの実施形態に従って、同期期間中に人工遅延を加算するためのプロセスを示すフローチャートである。
【図６】本開示の１つの実施形態に従った、図２Ａ〜図２Ｃの無線機器のブロック図である。
【発明を実施するための形態】
【００１４】
以下に説明する実施形態は、当業者が実施形態を実践することを可能とし及び実施形態の実践の最良のモードを例示するために必要とされる情報を表現する。添付図面を踏まえて以下の説明を読めば、当業者は、本開示の概念を理解し、ここで詳細には述べられていないそれら概念の応用を認識するであろう。理解すべきこととして、それら概念及び応用は、本開示及び添付の請求項の範囲内に入る。
【００１５】
無線機器と、セルラ通信ネットワーク内の基地局の少なくとも一部を共に形成する無線機器コントローラとの間の同期期間中に遅延の補償を提供するためのシステム及び方法が開示される。１つの実施形態において、無線機器は、無線機器コントローラからデータを受信するように構成される第１のインタフェースと、無線機器コントローラへデータを送信するように構成される第２のインタフェースと、を含む。同期期間中に、無線機器は、当該無線機器の第１のインタフェースにおいて、無線機器コントローラから同期メッセージを受信する。そして、無線機器は、第１のインタフェースから第２のインタフェースへの機器内遅延に追加される人工遅延（synthetic  delay）と共に、無線機器の第１のインタフェースから無線機器の第２のインタフェースへ当該同期メッセージを受け渡す。１つの好適な実施形態において、無線機器は、当該無線機器についての実際の機器内ダウンリンク遅延よりも小さい当該無線機器についての機器内ダウンリンク遅延を無線機器コントローラへ報告し、当該人工遅延は、無線機器についての実際の機器内ダウンリンク遅延よりも小さい無線機器についての上記機器内ダウンリンク遅延の報告を補償する。
【００１６】
図２Ａ〜図２Ｃは、本開示の様々な実施形態に係るセルラ通信ネットワークのための基地局１６を示している。図示したように、基地局１６は、無線機器コントローラ（ＲＥＣ）１８及び無線機器（ＲＥ）２０を含む。ＲＥＣ１８は、１つ以上のファイバケーブルといった１つ以上のケーブルを介して、ＲＥ２０へ接続される。ＲＥＣ１８は、デジタルベースバンド領域内の無線機能を含み、一方でＲＥ２０はアナログ無線周波数機能を含む。ＲＥＣ１８とＲＥ２０との間の、ここでＣＰＲＩ（Common  Public  Radio  Interface）インタフェースと呼ばれる汎用インタフェースは、ＲＥＣ１８とＲＥ２０との間の通信を可能にする。
【００１７】
図２Ａ〜図２Ｃに示したように、基地局１６は、以下の遅延を含む。
・Ｔ１２：ケーブル遅延（Ｔ１２）は、ＲＥＣ１８の出力インタフェース（Ｒ１）とＲＥ２０の入力インタフェース（Ｒ２）との間の遅延であり、ＲＥＣ１８の出力インタフェース（Ｒ１）をＲＥ２０の入力インタフェース（Ｒ２）へケーブルが接続していることに起因する。
・ＴＯＦＦＳＥＴ：機器内遅延（ＴＯＦＦＳＥＴ）は、ＲＥ２０の入力インタフェース（Ｒ２）からＲＥ２０の出力インタフェース（Ｒ３）までのＲＥ２０の内部的な遅延である。
・Ｔ３４：ケーブル遅延（Ｔ３４）は、ＲＥ２０の出力インタフェース（Ｒ３）からＲＥＣ１８の入力インタフェース（Ｒ４）までの遅延であり、ＲＥ２０の出力インタフェース（Ｒ３）をＲＥＣ１８の入力インタフェース（Ｒ４）へケーブルが接続していることに起因する。
・Ｔ２ａ＿ＡＣＴＵＡＬ：実際の機器内ダウンリンク遅延（Ｔ２ａ＿ＡＣＴＵＡＬ）は、ＲＥ２０の入力インタフェース（Ｒ２）からＲＥ２０の送信ポート（ＴＸ）あるいはアンテナまでのＲＥ２０の実際の内部的な遅延である。
・Ｔ２ａ＿ＲＥＰＯＲＴＥＤ：報告される機器内ダウンリンク遅延（Ｔ２ａ＿ＲＥＰＯＲＴＥＤ）は、ＲＥ２０の入力インタフェース（Ｒ２）からＲＥ２０の送信ポート（ＴＸ）あるいはアンテナまでのＲＥ２０の報告される内部的な遅延であり、Ｔ２ａ＿ＲＥＰＯＲＴＥＤ＜Ｔ２ａ＿ＡＣＴＵＡＬである。
・Ｔａ３＿ＡＣＴＵＡＬ：実際の機器内アップリンク遅延（Ｔａ３＿ＡＣＴＵＡＬ）は、ＲＥ２０の受信ポート（ＲＸ）あるいはアンテナからＲＥ２０の出力インタフェース（Ｒ３）までのＲＥ２０の実際の内部的な遅延である。
・Ｔａ３＿ＲＥＰＯＲＴＥＤ：報告される機器内アップリンク遅延（Ｔａ３＿ＲＥＰＯＲＴＥＤ）は、ＲＥ２０の受信ポート（ＲＸ）あるいはアンテナからＲＥ２０の出力インタフェース（Ｒ３）までのＲＥ２０の報告される内部的な遅延である。
・ＴＳＹＮＴＨＥＴＩＣ＿ＤＥＬＡＹ：人工遅延（ＴＳＹＮＴＨＥＴＩＣ＿ＤＥＬＡＹ）は、ＲＥ２０によりＲＥＣ１８へ報告される機器内ダウンリンク遅延（Ｔ２ａ＿ＲＥＰＯＲＴＥＤ）がＲＥ２０の実際の機器内ダウンリンク遅延（Ｔ２ａ＿ＡＣＴＵＡＬ）よりも小さいことについて補償するために、同期期間中にＲＥ２０により追加される、人工的な（synthetic）又は人為的な（artificial）遅延である。
・ＴＵＬ＿ＢＵＦＦＥＲ：アップリンクバッファ遅延（ＴＵＬ＿ＢＵＦＦＥＲ）は、実際の機器内アップリンク遅延（Ｔａ３＿ＡＣＴＵＡＬ）が人工遅延の半分（即ち、ＴＳＹＮＴＨＥＴＩＣ＿ＤＥＬＡＹ／２）よりも小さい場合にいくつかの実施形態において使用されるバッファの遅延である。
・Ｔ１４：合計ラウンドトリップ遅延（Ｔ１４）は、Ｔ１２、ＴＯＦＦＳＥＴ、ＴＳＹＮＴＨＥＴＩＣ＿ＤＥＬＡＹ及びＴ３４の和である。
【００１８】
先へ進む前に、留意すべきこととして、ＲＥＣ１８の入力及び出力インタフェース（Ｒ１及びＲ４）は、ＲＥＣ１８の入力／出力ポートとして言及される。同様に、ＲＥ２０の入力及び出力インタフェース（Ｒ２及びＲ３）は、ＲＥＣ２０の入力／出力ポートとして言及される。好適な実施形態ではＣＰＲＩリンクである通信リンクが、ＲＥＣ１８の入力／出力ポートとＲＥ２０の入力／出力ポートとの間に提供される。１つの実施形態において、通信リンクは、ＲＥＣ１８の入力／出力ポート及びＲＥ２０の入力／出力ポートを接続する単一のファイバケーブルである。１つの具体的な実施形態において、当該単一のファイバケーブルは、ＲＥＣ１８の出力インタフェース（Ｒ１）とＲＥ２０の入力インタフェース（Ｒ２）とを接続する第１のファイバ、及びＲＥ２０の出力インタフェース（Ｒ３）とＲＥＣ１８の入力インタフェース（Ｒ４）とを接続する第２のファイバを含む。その代わりに、ＲＥＣ１８の出力インタフェース（Ｒ１）をＲＥ２０の入力インタフェース（Ｒ２）へ、ＲＥ２０の出力インタフェース（Ｒ３）をＲＥＣ１８の入力インタフェース（Ｒ４）へ接続するために異なる波長が使用される単一のファイバが使用されてもよい。本開示がファイバケーブルには限定されないことにも留意すべきである。他のタイプのケーブル（例えば、銅製ケーブル）が使用されてもよい。さらに、ＲＥＣ１８の出力インタフェース（Ｒ１）をＲＥ２０の入力インタフェース（Ｒ２）へ、ＲＥ２０の出力インタフェース（Ｒ３）をＲＥＣ１８の入力インタフェース（Ｒ４）へ接続するために、別個のケーブルが使用されてもよい。
【００１９】
動作中に、ＲＥ２０は、機器内遅延（ＴＯＦＦＳＥＴ）、実際の機器内ダウンリンク遅延（Ｔ２ａ＿ＡＣＴＵＡＬ）及び実際の機器内アップリンク遅延（Ｔａ３＿ＡＣＴＵＡＬ）を推定する。ＲＥ２０は、機器内遅延（ＴＯＦＦＳＥＴ）をＲＥＣ１８へ報告する。しかしながら、ＲＥ２０は、実際の機器内ダウンリンク遅延（Ｔ２ａ＿ＡＣＴＵＡＬ）をＲＥＣ１８へ報告するのではなく、ＲＥ２０の機器内ダウンリンク遅延として予め定義される値をＲＥＣ１８へ報告し、それはここでは、報告される機器内ダウンリンク遅延（Ｔ２ａ＿ＲＥＰＯＲＴＥＤ）と呼ばれる。また、いくつかの実施形態において、ＲＥ２０は、実際の機器内アップリンク遅延（Ｔａ３＿ＡＣＴＵＡＬ）をＲＥＣ１８へ報告するのではなく、ＲＥ２０の機器内アップリンク遅延として予め定義される値をＲＥＣ１８へ報告し、それはここでは、報告される機器内アップリンク遅延（Ｔａ３＿ＲＥＰＯＲＴＥＤ）と呼ばれる。但し、１つの実施形態では、ＲＥ２０は実際の機器内アップリンク遅延をＲＥＣ１８へ報告することに留意されたい（即ち、Ｔａ３＿ＲＥＰＯＲＴＥＤ＝Ｔａ３＿ＡＣＴＵＡＬ）。
【００２０】
概して、報告される機器内ダウンリンク遅延（Ｔ２ａ＿ＲＥＰＯＲＴＥＤ）は、実際の機器内ダウンリンク遅延（Ｔ２ａ＿ＡＣＴＵＡＬ）よりも小さい、予め定義される値である。１つの実施形態において、ＲＥＣ１８は、ＲＥＣ１８へ報告することのできる最大の許容可能な機器内ダウンリンク遅延を有し、報告される機器内ダウンリンク遅延（Ｔ２ａ＿ＲＥＰＯＲＴＥＤ）は、当該最大の許容可能な機器内ダウンリンク遅延に設定され、又は代替的に、当該最大の許容可能な機器内ダウンリンク遅延よりも小さい値に設定される。
【００２１】
人工遅延（ＴＳＹＮＴＨＥＴＩＣ＿ＤＥＬＡＹ）は、実際の機器内ダウンリンク遅延（Ｔ２ａ＿ＡＣＴＵＡＬ）及び報告される機器内ダウンリンク遅延（Ｔ２ａ＿ＲＥＰＯＲＴＥＤ）の関数である。より具体的には、人工遅延（ＴＳＹＮＴＨＥＴＩＣ＿ＤＥＬＡＹ）は、次のように定義される：
【００２２】
【数２】
0005956591.tif 000003
【００２３】
ここで、あらためて言うと、Ｔ２ａ＿ＡＣＴＵＡＬ＞Ｔ２ａ＿ＲＥＰＯＲＴＥＤである。よって、一例として、Ｔ２ａ＿ＡＣＴＵＡＬ＝４０マイクロ秒でＴ２ａ＿ＲＥＰＯＲＴＥＤ＝１３マイクロ秒であれば、人工遅延（ＴＳＹＮＴＨＥＴＩＣ＿ＤＥＬＡＹ）は、５４マイクロ秒である。
【００２４】
報告される機器内アップリンク遅延（Ｔａ３＿ＲＥＰＯＲＴＥＤ）は、個別の実装に依存して変化し得る。概して、以下により詳細に議論するように、人工遅延（ＴＳＹＮＴＨＥＴＩＣ＿ＤＥＬＡＹ）は、ＲＥＣ１８にとって追加的なケーブル遅延であるように見え、アップリンクを基準としてＲＥＣ１８により観測される遅延がＲＥＣ１８により予期されるものであることが保証されるように、注意が払われなければならない。ＲＥＣ１８が負の機器内アップリンク遅延の報告を許容しないと想定すると、図２Ａの実施形態に示したように、
【００２５】
【数３】
0005956591.tif 000004
【００２６】
であるならば、報告される機器内アップリンク遅延（Ｔａ３＿ＲＥＰＯＲＴＥＤ）は、次のように定義され得る：
【００２７】
【数４】
0005956591.tif 000005
【００２８】
このようにして、アップリンクを基準としてＲＥＣ１８により観測される遅延が、ＲＥＣ１８により予期される通りとなる。
【００２９】
一例として、実際の機器内アップリンク遅延（Ｔａ３＿ＡＣＴＵＡＬ）が２０マイクロ秒で人工遅延（ＴＳＹＮＴＨＥＴＩＣ＿ＤＥＬＡＹ）が１６マイクロ秒であれば、報告される機器内アップリンク遅延（Ｔａ３＿ＲＥＰＯＲＴＥＤ）は１２マイクロ秒である。よって、ＲＥＣ１８にとっては、実際のケーブル遅延に加えて、アップリンク信号は、ＲＥ２０における１２マイクロ秒の機器内アップリンク遅延、プラス８マイクロ秒のケーブル遅延をもって伝播する。現実には、アップリンク信号は、ＲＥ２０における２０マイクロ秒の機器内アップリンク遅延をもって伝播する。但し、Ｔａ３＿ＲＥＰＯＲＴＥＤ＋ＴＳＹＮＴＨＥＴＩＣ＿ＤＥＬＡＹ／２がＴａ３＿ＡＣＴＵＡＬに等しい限り、ＲＥＣ１８により観測される遅延はＲＥＣ１８により予期される通りである。
【００３０】
対照的に、図２Ｂの実施形態では、次の通りである。
【００３１】
【数５】
0005956591.tif 000006
【００３２】
この実施形態では、ＲＥ２０により受信されＲＥＣ１８へ送信されるアップリンク信号を遅延させるために、次の通りとなるように、追加的なアップリンクバッファがＲＥ２０に実装される：
【００３３】
【数６】
0005956591.tif 000007
【００３４】
ここで、ＴＵＬ＿ＢＵＦＦＥＲはアップリンクバッファの遅延である。人工遅延（ＴＳＹＮＴＨＥＴＩＣ＿ＤＥＬＡＹ）の半分に実際の機器内アップリンク遅延（Ｔａ３＿ＡＣＴＵＡＬ）と報告される機器内アップリンク遅延（Ｔａ３＿ＲＥＰＯＲＴＥＤ）との差を加算したものと等しくなるようにアップリンクバッファ遅延（ＴＵＬ＿ＢＵＦＦＥＲ）を設定することで、ＲＥＣ１８によりアップリンク信号について観測される遅延は、予期されるものとなる。
【００３５】
一例として、実際の機器内アップリンク遅延（Ｔａ３＿ＡＣＴＵＡＬ）が１８マイクロ秒、報告される機器内アップリンク遅延（Ｔａ３＿ＲＥＰＯＲＴＥＤ）が１２秒、人工遅延（ＴＳＹＮＴＨＥＴＩＣ＿ＤＥＬＡＹ）が５４マイクロ秒であれば、アップリンクバッファ遅延（ＴＵＬ＿ＢＵＦＦＥＲ）は２１マイクロ秒である。よって、ＲＥＣ１８にとっては、実際のケーブル遅延に加えて、アップリンク信号は、ＲＥ２０における１２マイクロ秒の機器内アップリンク遅延、プラス２７マイクロ秒のケーブル遅延をもって伝播する。現実には、アップリンク信号は、ＲＥ２０における１８マイクロ秒の機器内アップリンク遅延、プラスＲＥ２０における２１マイクロ秒のアップリンクバッファ遅延をもって伝播する。但し、留意すべき重要なことは、ＲＥＣ１８が３９マイクロ秒の遅延を観測することであり、これはＲＥＣ１８により予期される３９マイクロ秒の遅延に等しい。
【００３６】
図２Ｃは、次のような図２Ｂの実施形態の特殊ケースを示している：
【００３７】
【数７】
0005956591.tif 000008
【００３８】
この実施形態では、ＲＥ２０により受信されＲＥＣ１８へ送信されるアップリンク信号を遅延させるために、次の通りとなるように、追加的なアップリンクバッファがＲＥ２０に実装される：
【００３９】
【数８】
0005956591.tif 000009
【００４０】
ここで、ＴＵＬ＿ＢＵＦＦＥＲはアップリンクバッファの遅延である。人工遅延（ＴＳＹＮＴＨＥＴＩＣ＿ＤＥＬＡＹ）の半分と等しくなるようにアップリンクバッファ遅延（ＴＵＬ＿ＢＵＦＦＥＲ）を設定することで、ＲＥＣ１８によりアップリンク信号について観測される遅延は、予期されるものとなる。
【００４１】
一例として、実際の機器内アップリンク遅延（Ｔａ３＿ＡＣＴＵＡＬ）が１２マイクロ秒で人工遅延（ＴＳＹＮＴＨＥＴＩＣ＿ＤＥＬＡＹ）が４０マイクロ秒であれば、報告される機器内アップリンク遅延（Ｔａ３＿ＲＥＰＯＲＴＥＤ）は１２マイクロ秒、アップリンクバッファ遅延（ＴＵＬ＿ＢＵＦＦＥＲ）は２０マイクロ秒である。よって、ＲＥＣ１８にとっては、実際のケーブル遅延に加えて、アップリンク信号は、ＲＥ２０における１２マイクロ秒の機器内アップリンク遅延、プラス２０マイクロ秒のケーブル遅延をもって伝播する。現実には、アップリンク信号は、ＲＥ２０における１２マイクロ秒の機器内アップリンク遅延、プラスＲＥ２０における２０マイクロ秒のアップリンクバッファ遅延をもって伝播する。但し、留意すべき重要なことは、ＲＥＣ１８が３２マイクロ秒の遅延を観測することであり、これはＲＥＣ１８により予期される３２マイクロ秒の遅延に等しい。
【００４２】
アップリンクフレーム及びダウンリンクフレームを同期させるために、ＲＥＣ１８及びＲＥ２０は、同期プロセスを実行する。同期プロセスのために、ＲＥＣ１８は、ＲＥＣ１８の出力インタフェース（Ｒ１）からＲＥ２０の入力インタフェース（Ｒ２）へ同期メッセージを送信する。１つの好適な実施形態において、ＲＥＣ１８とＲＥ２０との間の通信はＣＰＲＩリンクを介し、同期メッセージはＣＰＲＩ基本フレームにおけるＫ２８．５ｓｙｎｃバイトである。しかしながら、本開示は、ＣＰＲＩに限定されない。ＲＥＣ１８とＲＥ２０との間で他のタイプのインタフェースが使用されてもよい。同期メッセージを受信すると、ＲＥ２０は、同期メッセージがＲＥＣ１８へループバックされるように、人工遅延（ＴＳＹＮＴＨＥＴＩＣ＿ＤＥＬＡＹ）と共に、ＲＥ２０の入力インタフェース（Ｒ２）からＲＥ２０の出力インタフェース（Ｒ３）へ同期メッセージを受け渡す。ＲＥＣ１８は、同期メッセージがＲＥＣ１８の出力インタフェース（Ｒ１）から送信された時刻とｓｙｎｃバイトがＲＥＣ１８の入力インタフェース（Ｒ４）で受信された時刻との間の時間量である合計ラウンドトリップ遅延（Ｔ１４）を、同期メッセージを用いて測定する。とりわけ、好適な実施形態において、単一のケーブルが、ＲＥＣ１８の出力インタフェース（Ｒ１）をＲＥ２０の入力インタフェース（Ｒ２）へ、及びＲＥ２０の出力インタフェース（Ｒ３）をＲＥＣ１８の入力インタフェース（Ｒ４）へ接続する２つのファイバを好適に含む。但し、代替的な実施形態において、別個のケーブルが使用されてもよい。
【００４３】
本開示によれば、同期期間中に、ＲＥ２０は、ＲＥＣ１８へ同期メッセージを返送する前に、同期メッセージに人工遅延（ＴＳＹＮＴＨＥＴＩＣ＿ＤＥＬＡＹ）を適用する。人工遅延（ＴＳＹＮＴＨＥＴＩＣ＿ＤＥＬＡＹ）は、ＲＥ２０の入力インタフェース（Ｒ２）とＲＥ２０の出力インタフェース（Ｒ３）との間の機器内遅延（ＴＯＦＦＳＥＴ）に上で議論したように追加されるものであり、報告される機器内ダウンリンク遅延（Ｔ２ａ＿ＲＥＰＯＲＴＥＤ）がＲＥ２０の実際の機器内ダウンリンク遅延（Ｔ２ａ＿ＡＣＴＵＡＬ）よりも小さいことについて、補償を行う。そうすることで、同期プロセスの期間中にＲＥＣ１８により測定される合計ラウンドトリップ遅延（Ｔ１４）は、次のように定義される：
【００４４】
【数９】
0005956591.tif 000010
【００４５】
ＲＥ２０の入力インタフェース（Ｒ２）とＲＥ２０の出力インタフェース（Ｒ３）との間の実際の機器内遅延（ＴＯＦＦＳＥＴ）をＲＥＣ１８へ報告し、同期プロセスの期間中に同期メッセージに人工遅延（ＴＳＹＮＴＨＥＴＩＣ＿ＤＥＬＡＹ）を適用することにより、人工遅延（ＴＳＹＮＴＨＥＴＩＣ＿ＤＥＬＡＹ）は、ＲＥＣ１８には、追加的なケーブル遅延であるかのように見える。言い換えれば、ＲＥＣ１８は、人工遅延（ＴＳＹＮＴＨＥＴＩＣ＿ＤＥＬＡＹ）をケーブル遅延（Ｔ１２及びＴ３４）の一部として観測する。具体的には、ＲＥＣ２０は、人工遅延（ＴＳＹＮＴＨＥＴＩＣ＿ＤＥＬＡＹ）の半分をケーブル遅延の一部（Ｔ１２）として、人工遅延（ＴＳＹＮＴＨＥＴＩＣ＿ＤＥＬＡＹ）の他の半分をケーブル遅延の一部（Ｔ３４）として観測する。
【００４６】
同期期間中に人工遅延（ＴＳＹＮＴＨＥＴＩＣ＿ＤＥＬＡＹ）を適用することにより、ＲＥＣ１８によって見られる通りの結果的なケーブル遅延は、報告される機器内ダウンリンク遅延（Ｔ２ａ＿ＲＥＰＯＲＴＥＤ）がＲＥ２０の実際の機器内ダウンリンク遅延（Ｔ２ａ＿ＡＣＴＵＡＬ）よりも小さいことについて補償を行う。具体的には、実際の機器内ダウンリンク遅延（Ｔ２ａ＿ＡＣＴＵＡＬ）は、ＲＥＣ１８により、報告される機器内ダウンリンク遅延（Ｔ２ａ＿ＲＥＰＯＲＴＥＤ）と追加的なケーブル遅延（即ち、ＴＳＹＮＴＨＥＴＩＣ＿ＤＥＬＡＹ／２に等しい人為的なケーブル遅延）との和として観測される。この補償の結果として、ＲＥＣ１８により観測される見掛け上のケーブル遅延（ＴＣＡＢＬＥ＿ＡＰＰＡＲＥＮＴ）が最大の許容可能ケーブル遅延よりも小さい限り、ＲＥ２０の実際の機器内ダウンリンク遅延（Ｔ２ａ＿ＡＣＴＵＡＬ）を、ＲＥ２０の報告される機器内ダウンリンク遅延（Ｔ２ａ＿ＲＥＰＯＲＴＥＤ）よりも大きくすることができる。ＲＥＣ１８により観測される見掛け上のケーブル遅延（ＴＣＡＢＬＥ＿ＡＰＰＡＲＥＮＴ）は、次のように定義される：
【００４７】
【数１０】
0005956591.tif 000011
【００４８】
図３は、本開示の１つの実施形態に係る、実際の遅延と比較した場合のＲＥＣ１８により見られるダウンリンク信号についての遅延を示している。図示したように、ＲＥ２０の視点からは、ＲＥＣ１８の出力インタフェース（Ｒ１）からＲＥ２０の送信ポート（ＴＸ）までの遅延は、実際のケーブル遅延（Ｔ１２＿ＡＣＴＵＡＬ）とＲＥ２０の実際の機器内ダウンリンク遅延（Ｔ２ａ＿ＡＣＴＵＡＬ）との和である。対照的に、ＲＥＣ１８の視点からは、ＲＥＣ１８の出力インタフェース（Ｒ１）からＲＥ２０の送信ポート（ＴＸ）までの遅延は、見掛け上のケーブル遅延（Ｔ１２＿ＡＰＰＡＲＥＮＴ）とＲＥ２０の報告される機器内ダウンリンク遅延（Ｔ２ａ＿ＲＥＰＯＲＴＥＤ）との和である。
【００４９】
図４は、本開示の１つの実施形態に従って、実際の機器内ダウンリンク遅延（Ｔ２ａ＿ＡＣＴＵＡＬ）よりも小さい報告される機器内ダウンリンク遅延（Ｔ２ａ＿ＲＥＰＯＲＴＥＤ）について補償するためにＲＥ２０により使用されるべき人工遅延（ＴＳＹＮＴＨＥＴＩＣ＿ＤＥＬＡＹ）を決定し、及びＲＥＣ１８へ実際の機器内ダウンリンク遅延（Ｔ２ａ＿ＡＣＴＵＡＬ）ではなく報告される機器内ダウンリンク遅延（Ｔ２ａ＿ＲＥＰＯＲＴＥＤ）を報告するためのプロセスを示すフローチャートである。図示したように、ＲＥ２０は、まず、実際の機器内ダウンリンク遅延（Ｔ２ａ＿ＡＣＴＵＡＬ）、実際の機器内アップリンク遅延（Ｔａ３＿ＡＣＴＵＡＬ）及び機器内遅延（ＴＯＦＦＳＥＴ）を推定する（ステップ１００）。実際の機器内ダウンリンク遅延（Ｔ２ａ＿ＡＣＴＵＡＬ）、実際の機器内アップリンク遅延（Ｔａ３＿ＡＣＴＵＡＬ）及び機器内遅延（ＴＯＦＦＳＥＴ）を推定するために、任意の適した技法が使用されてよい。一例として、ＲＥ２０は、例えば温度及び／又は周波数などといった入力に基づく、実際の機器内ダウンリンク遅延（Ｔ２ａ＿ＡＣＴＵＡＬ）、実際の機器内アップリンク遅延（Ｔａ３＿ＡＣＴＵＡＬ）及び機器内遅延（ＴＯＦＦＳＥＴ）のための値を記憶する予め設定される１つ以上のルックアップテーブルを記憶していてもよい。
【００５０】
次に、ＲＥ２０は、実際の機器内ダウンリンク遅延（Ｔ２ａ＿ＡＣＴＵＡＬ）及び報告される機器内ダウンリンク遅延（Ｔ２ａ＿ＲＥＰＯＲＴＥＤ）の関数として、人工遅延（ＴＳＹＮＴＨＥＴＩＣ＿ＤＥＬＡＹ）を計算し、さもなくば決定する（ステップ１０２）。より具体的には、上で議論したように、人工遅延（ＴＳＹＮＴＨＥＴＩＣ＿ＤＥＬＡＹ）は、次のように計算され得る：
【００５１】
【数１１】
0005956591.tif 000012
【００５２】
人工遅延（ＴＳＹＮＴＨＥＴＩＣ＿ＤＥＬＡＹ）を計算した後のある時に、ＲＥ２０は、ＲＥＣ１８から、ＲＥ２０の機器内ダウンリンク遅延（Ｔ２ａ）、機器内アップリンク遅延（Ｔａ３）及び機器内遅延（ＴＯＦＦＳＥＴ）についての要求を受信する（ステップ１０４）。応答として、ＲＥ２０は、報告される機器内ダウンリンク遅延（Ｔ２ａ＿ＲＥＰＯＲＴＥＤ）、報告される機器内アップリンク遅延（Ｔａ３＿ＲＥＰＯＲＴＥＤ）及び機器内遅延（ＴＯＦＦＳＥＴ）をＲＥＣ１８へ報告する（ステップ１０６）。上で議論したように、報告される機器内ダウンリンク遅延（Ｔ２ａ＿ＲＥＰＯＲＴＥＤ）は、実際の機器内ダウンリンク遅延（Ｔ２ａ＿ＡＣＴＵＡＬ）よりも小さい予め定義される値である。１つの実施形態において、ＲＥＣ１８は、ＲＥＣ１８へ報告することのできる最大の許容可能な機器内ダウンリンク遅延を有し、報告される機器内ダウンリンク遅延（Ｔ２ａ＿ＲＥＰＯＲＴＥＤ）は、当該最大の許容可能な機器内ダウンリンク遅延に設定され、又は代替的に、当該最大の許容可能な機器内ダウンリンク遅延よりも小さい値に設定される。やはり上で議論したように、報告される機器内アップリンク遅延（Ｔａ３＿ＲＥＰＯＲＴＥＤ）は、個別の実装に依存して変化してよく、いくつかの実施形態では、ＲＥ２０での追加的なアップリンクバッファリングを要する。
【００５３】
図５は、本開示の１つの実施形態に従って、同期期間中に人工遅延（ＴＳＹＮＴＨＥＴＩＣ＿ＤＥＬＡＹ）を加算するためのプロセスを示すフローチャートである。図示したように、ＲＥ２０は、まず、ＲＥ２０の入力インタフェース（Ｒ２）においてＲＥＣ１８からの同期メッセージを受信する（ステップ２００）。１つの実施形態において、同期メッセージは同期バイトであり、なお一層具体的に言うと、ＣＰＲＩのＫ２８．５ｓｙｎｃバイトである。そして、ＲＥ２０は、同期メッセージがＲＥＣ１８へ返送されるように、ＲＥ２０の入力インタフェース（Ｒ２）からＲＥ２０の出力インタフェース（Ｒ３）へ、人工遅延（ＴＳＹＮＴＨＥＴＩＣ＿ＤＥＬＡＹ）と共に同期メッセージを受け渡す（ステップ２０２）。ＲＥ２０は、任意の適した遅延の技法を用いて、人工遅延（ＴＳＹＮＴＨＥＴＩＣ＿ＤＥＬＡＹ）を適用してよい。例えば、人工遅延（ＴＳＹＮＴＨＥＴＩＣ＿ＤＥＬＡＹ）は、ソフトウェア又はハードウェアのバッファを用いて適用されてもよい。他の例として、同期メッセージがＣＰＲＩの基本フレーム（basic  frame）におけるＫ２８．５ｓｙｎｃバイトであれば、ＲＥ２０は、フレーム番号を変更することにより人工遅延（ＴＳＹＮＴＨＥＴＩＣ＿ＤＥＬＡＹ）を効率的に適用し得る。
【００５４】
図６は、本開示の１つの実施形態に係る、図２のＲＥ２０のブロック図である。図示したように、この実施形態において、ＲＥ２０は、関連付けられるメモリ２４を有するコントローラ２２、ＣＰＲＩインタフェース２６、及び無線インタフェース２８を含む。コントローラ２２は、マイクロプロセッサ、ＡＳＩＣ（Application Specific Integrated Circuit）、ＦＰＧＡ（Field Programmable Gate Array）若しくは類似のハードウェアコントローラ、又はそれらの組合せである。この具体的な実施形態では、コントローラ２２は、メモリ２４内に記憶されるソフトウェアを実行して、ここで説明した機能性の少なくともいくつか（例えば、人工遅延（ＴＳＹＮＴＨＥＴＩＣ＿ＤＥＬＡＹ）の計算）を提供する。ＣＰＲＩインタフェース２６は、ＲＥ２０とＲＥＣ１８との間のＣＰＲＩリンクを提供する。加えて、この実施形態において、ＣＰＲＩインタフェース２６は、同期プロセスの期間中に人工遅延（ＴＳＹＮＴＨＥＴＩＣ＿ＤＥＬＡＹ）を適用するように動作する人工遅延機能３０を含む。例えば、人工遅延機能３０は、人工遅延（ＴＳＹＮＴＨＥＴＩＣ＿ＤＥＬＡＹ）を適用するハードウェア又はソフトウェアバッファを含んでもよい。但し、人工遅延（ＴＳＹＮＴＨＥＴＩＣ＿ＤＥＬＡＹ）は代替的にコントローラ２２（例えば、人工遅延（ＴＳＹＮＴＨＥＴＩＣ＿ＤＥＬＡＹ）を適用するためのソフトウェアメカニズム）により適用されてもよいことに留意されたい。無線インタフェース２８は、基地局１６と基地局１６のカバレッジエリア内の移動局との間の無線周波数のワイヤレス通信チャネルを提供する。
【００５５】
本開示を通じて、次の略語が使用されている。
ＡＳＩＣ    Application  Specific  Integrated  Circuit
ＣＰＲＩ    Common  Public  Radio  Interface
ＦＤＤ      Frequency  Division  Duplex
ＦＰＧＡ    Field  Programmable  Gate  Array
ＲＥ        Radio  Equipment
ＲＥＣ      Radio  Equipment  Controller
ＴＤＤ      Time  Division  Duplex
【００５６】
当業者は、本開示の好適な実施形態についての改善及び修正を認識するであろう。そうした改善及び修正の全ては、ここで開示された概念の範囲及び後続する請求項の範囲内にあるものと認められる。
【図１】
0005956591.tif 000013
【図２Ａ】
0005956591.tif 000014
【図２Ｂ】
0005956591.tif 000015
【図２Ｃ】
0005956591.tif 000016
【図３】
0005956591.tif 000017
【図４】
0005956591.tif 000018
【図５】
0005956591.tif 000019
【図６】
0005956591.tif 000020